(57)【要約】【課題】複数の収納容器を並べた際、その収納容器の集合体の体積を小さくすることができる収納容器および試験具個包装体を提供すること。【解決手段】試験具個包装体１は、試験具１０と、乾燥剤６０と、収納容器２と、シート材７０とを備えている。収納容器２は、試験具１０を収納する収納部３４と、収納部３４に対して内側に凹んだ１対の凹部３３１、３３２を有する把持部３３とを備えるケーシングを有している。同一形状の複数の試験具個包装体１を、隣り合う２つの試験具個包装体１の基端方向が互いに反対になり、一方の試験具個包装体１の把持部３３と、他方の試験具個包装体１の収納部３４とが隣接するように並べる。隣り合う２つの試験具個包装体１の一方の把持部３３の凹部３３１に、他方の収納部３４の外側部が組み合わされ、他方の把持部３３の凹部３３２に、一方の収納部３４の外側部が組み合わされる。【選択図】図１
2012058036.tif 000002
【特許請求の範囲】
【請求項１】
検体中の所定成分の量を測定する体液成分測定装置の試験具装着部に装着して用いられる試験具を収納し、少なくとも２つを並べて保管される収納容器であって、
基端側に開口部および先端側に底部を有する有底筒状をなし、前記試験具を収納する第１部分と、前記第１部分の先端側に位置し、前記第１部分に対して内側に凹んだ凹部を有する第２部分とが一体化されたケーシングを備え、
同一形状の２つの当該収納容器をその基端方向が互いに反対になり、一方の前記収納容器の前記第２部分と、他方の前記収納容器の前記第１部分とが隣接するように並べた配列状態で、前記一方の収納容器の前記第１部分が、前記他方の収納容器の前記凹部に組み合わされ、前記他方の収納容器の前記第１部分が、前記一方の収納容器の前記凹部に組み合わされるよう構成されていることを特徴とする収納容器。
【請求項２】
前記第２部分は、前記ケーシングの中心軸を介して対向するように配置された１対の前記凹部を有する請求項１に記載の収納容器。
【請求項３】
前記第２部分は、前記ケーシングの中心軸を介して対向するように配置され、前記第１部分に対して内側に凹んだ１対の第１の凹部と、
前記第１の凹部に対して、前記中心軸を中心に９０°ずれた位置に設けられ、前記中心軸を介して対向するように配置され、前記第１部分に対して内側に凹んだ１対の第２の凹部とを有し、
前記一方の収納容器の前記第１部分が、前記他方の収納容器の前記第１の凹部または前記第２の凹部に組み合わされ、前記他方の収納容器の前記第１部分が、前記一方の収納容器の前記第１の凹部または前記第２の凹部に組み合わされるよう構成されている請求項１に記載の収納容器。
【請求項４】
前記第１部分には、直線状をなす第１の当接部が設けられ、
前記第２部分には、直線状をなす第２の当接部が設けられ、
前記配列状態で、前記一方の収納容器の前記第１の当接部が、前記他方の収納容器の前記第２の当接部に当接するとともに、前記他方の収納容器の前記第１の当接部が、前記一方の収納容器の前記第２の当接部に当接し、前記一方の収納容器に対する前記他方の収納容器の姿勢が規制されるよう構成されている請求項１ないし３のいずれかに記載の収納容器。
【請求項５】
第１の当接部は、前記第１部分の外側部から突出した凸部であり、
前記第２の当接部は、前記第２部分の外側部に設けられ、前記凸部に対応する凹部である請求項４に記載の収納容器。
【請求項６】
第１の当接部は、前記第１部分の基端部に設けられ、
前記第２の当接部は、前記第２部分の先端部に設けられている請求項４または５に記載の収納容器。
【請求項７】
前記第１部分には、第１の係止部が設けられ、
前記第２部分には、第２の係止部が設けられ、
前記配列状態で、前記一方の収納容器の前記第１の係止部が、前記他方の収納容器の前記第２の係止部に係止されるとともに、前記他方の収納容器の前記第１の係止部が、前記一方の収納容器の前記第２の係止部に係止され、前記一方の収納容器に対する前記他方の収納容器の移動が阻止されるよう構成されている請求項１ないし６のいずれかに記載の収納容器。
【請求項８】
前記第２部分の外側部には、前記ケーシングの中心軸方向に沿って延在する複数のリブが設けられている請求項１ないし７のいずれかに記載の収納容器。
【請求項９】
前記第１部分の内面に設けられ、前記試験具を保持する保持部を有し、
前記保持部による前記試験具の保持力が、前記試験具装着部による前記試験具の保持力より小さく設定されており、
当該収納容器に前記試験具を収納した収納状態で前記第２部分を指で把持して、前記収納状態の試験具を基端側から前記試験具装着部に押し付けることで前記試験具が装着されるよう構成されている請求項１ないし８のいずれかに記載の収納容器。
【請求項１０】
請求項１ないし９のいずれかに記載の収納容器と、
前記収納容器内に収納される試験具と、
前記ケーシングの開口部を気密的に封止する封止手段とを備えることを特徴とする試験具個包装体。
【発明の詳細な説明】
【技術分野】
【０００１】
本発明は、収納容器および試験具個包装体に関するものである。
【背景技術】
【０００２】
血糖値（体液成分）の測定を行なう際には、血糖測定装置（体液成分測定装置）が用いられる。中でも比色式の血糖測定装置は、発色試薬を担持した試験紙を有する血糖測定用チップ（試験具）を装着して測定を行なうように構成されている。この血糖測定用チップは、未使用状態では有底円筒状の収納容器に収納されているものがあり、該血糖測定用チップを血糖測定装置に装着するとき、手あか等で汚れないように、血糖測定用チップを収納容器に収納したまま、収納容器を手で把持して血糖測定装置の装着部に押し付けて嵌合させ、収納容器を引き戻すことによって、血糖測定用チップと収納容器の嵌合が外れて、該血糖測定用チップのみが装着される（例えば、特許文献１参照）。
【０００３】
ところで、収納容器と、その収納容器内に収納された血糖測定用チップとを有するチップ個包装体（試験具個包装体）は、所定の箱に複数個が収納され、保管される。
【０００４】
しかしながら、前記従来のチップ個包装体では、箱に複数個のチップ個包装体を収納すると、各チップ個包装体は、バラバラであるので、チップ個包装体とチップ個包装体との間に隙間が形成され、そのチップ個包装体全体の体積が大きくなってしまい、大きな箱を必要とする。
【０００５】
使用者は、１日に複数個の血糖測定用チップを使用するので、その血糖測定用チップを箱毎携帯することがあり、この場合は、箱が大きいことで、携帯に不便になるという問題がある。
【先行技術文献】
【特許文献】
【０００６】
【特許文献１】特開２０００−２３０９０５号公報
【発明の概要】
【発明が解決しようとする課題】
【０００７】
本発明の目的は、複数の収納容器を並べた際、その複数の収納容器の集合状態の体積を小さくすることができる収納容器および試験具を該収納容器に収納した試験具個包装体を提供することにある。
【課題を解決するための手段】
【０００８】
このような目的は、下記（１）〜（１０）の本発明により達成される。
（１）  検体中の所定成分の量を測定する体液成分測定装置の試験具装着部に装着して用いられる試験具を収納し、少なくとも２つを並べて保管される収納容器であって、
基端側に開口部および先端側に底部を有する有底筒状をなし、前記試験具を収納する第１部分と、前記第１部分の先端側に位置し、前記第１部分に対して内側に凹んだ凹部を有する第２部分とが一体化されたケーシングを備え、
同一形状の２つの当該収納容器をその基端方向が互いに反対になり、一方の前記収納容器の前記第２部分と、他方の前記収納容器の前記第１部分とが隣接するように並べた配列状態で、前記一方の収納容器の前記第１部分が、前記他方の収納容器の前記凹部に組み合わされ、前記他方の収納容器の前記第１部分が、前記一方の収納容器の前記凹部に組み合わされるよう構成されていることを特徴とする収納容器。
【０００９】
（２）  前記第２部分は、前記ケーシングの中心軸を介して対向するように配置された１対の前記凹部を有する上記（１）に記載の収納容器。
【００１０】
（３）  前記第２部分は、前記ケーシングの中心軸を介して対向するように配置され、前記第１部分に対して内側に凹んだ１対の第１の凹部と、
前記第１の凹部に対して、前記中心軸を中心に９０°ずれた位置に設けられ、前記中心軸を介して対向するように配置され、前記第１部分に対して内側に凹んだ１対の第２の凹部とを有し、
前記一方の収納容器の前記第１部分が、前記他方の収納容器の前記第１の凹部または前記第２の凹部に組み合わされ、前記他方の収納容器の前記第１部分が、前記一方の収納容器の前記第１の凹部または前記第２の凹部に組み合わされるよう構成されている上記（１）に記載の収納容器。
【００１１】
（４）  前記第１部分には、直線状をなす第１の当接部が設けられ、
前記第２部分には、直線状をなす第２の当接部が設けられ、
前記配列状態で、前記一方の収納容器の前記第１の当接部が、前記他方の収納容器の前記第２の当接部に当接するとともに、前記他方の収納容器の前記第１の当接部が、前記一方の収納容器の前記第２の当接部に当接し、前記一方の収納容器に対する前記他方の収納容器の姿勢が規制されるよう構成されている上記（１）ないし（３）のいずれかに記載の収納容器。
【００１２】
（５）  第１の当接部は、前記第１部分の外側部から突出した凸部であり、
前記第２の当接部は、前記第２部分の外側部に設けられ、前記凸部に対応する凹部である上記（４）に記載の収納容器。
【００１３】
（６）  第１の当接部は、前記第１部分の基端部に設けられ、
前記第２の当接部は、前記第２部分の先端部に設けられている上記（４）または（５）に記載の収納容器。
【００１４】
（７）  前記第１部分には、第１の係止部が設けられ、
前記第２部分には、第２の係止部が設けられ、
前記配列状態で、前記一方の収納容器の前記第１の係止部が、前記他方の収納容器の前記第２の係止部に係止されるとともに、前記他方の収納容器の前記第１の係止部が、前記一方の収納容器の前記第２の係止部に係止され、前記一方の収納容器に対する前記他方の収納容器の移動が阻止されるよう構成されている上記（１）ないし（６）のいずれかに記載の収納容器。
【００１５】
（８）  前記第２部分の外側部には、前記ケーシングの中心軸方向に沿って延在する複数のリブが設けられている上記（１）ないし（７）のいずれかに記載の収納容器。
【００１６】
（９）  前記第１部分の内面に設けられ、前記試験具を保持する保持部を有し、
前記保持部による前記試験具の保持力が、前記試験具装着部による前記試験具の保持力より小さく設定されており、
当該収納容器に前記試験具を収納した収納状態で前記第２部分を指で把持して、前記収納状態の試験具を基端側から前記試験具装着部に押し付けることで前記試験具が装着されるよう構成されている上記（１）ないし（８）のいずれかに記載の収納容器。
【００１７】
（１０）  上記（１）ないし（９）のいずれかに記載の収納容器と、
前記収納容器内に収納される試験具と、
前記ケーシングの開口部を気密的に封止する封止手段とを備えることを特徴とする試験具個包装体。
【発明の効果】
【００１８】
本発明によれば、複数の収納容器を並べた際、その複数の収納容器の集合状態体の体積を小さくすることができる。これにより、複数の収納容器を並べて箱に入れた場合、その箱を小さくすることができる。これによって、例えば、複数の試験具個包装体を箱毎携帯する場合に、便利である。また、保管スペースを縮小でき、輸送する際の費用の削減にもつながる。
【図面の簡単な説明】
【００１９】
【図１】本発明の試験具個包装体の第１実施形態を示す斜視図である。
【図２】図１に示す試験具個包装体の断面斜視図である。
【図３】図１に示す試験具個包装体の収納容器の斜視図である。
【図４】図１に示す試験具個包装体を並べた状態を示す斜視図である。
【図５】図１に示す試験具個包装体の試験具を体液成分測定装置に装着するときの縦断面図である。
【図６】本発明の試験具個包装体の第２実施形態を示す斜視図である。
【図７】図６に示す試験具個包装体を並べた状態を示す斜視図である。
【発明を実施するための形態】
【００２０】
以下、本発明の収納容器および試験具個包装体を添付図面に示す好適な実施形態に基づいて詳細に説明する。
【００２１】
＜第１実施形態＞
図１は、本発明の試験具個包装体の第１実施形態を示す斜視図、図２は、図１に示す試験具個包装体の断面斜視図、図３は、図１に示す試験具個包装体の収納容器の斜視図、図４は、図１に示す試験具個包装体を並べた状態を示す斜視図、図５は、図１に示す試験具個包装体の試験具を体液成分測定装置に装着するときの縦断面図である。
【００２２】
なお、以下では、図１〜図４中の上側を「基端」、下側を「先端」とし、図５中の下側を「基端」、上側を「先端」として説明を行う。すなわち、収納容器２において開口部３８側が基端側となる。また、図２では、シート材および乾燥剤は、図示されていない。また、図４では、互いに直交するｘ軸、ｙ軸およびｚ軸を想定する。ｘ軸は、試験具個包装体１の一方の並びの方向（配列方向）と平行であり、ｙ軸は、試験具個包装体１の他方の並びの方向と平行であり、ｚ軸は、中心軸Ｏと平行である。
【００２３】
図１および図２に示すように、試験具個包装体１は、試験具１０と、試験具１０を収納する収納容器２と、試験具１０とともに収納容器２に収納される乾燥剤６０と、収納容器２（ケーシング３）の開口部３８を気密的に封止する封止手段としてのシート材７０とを備えている。
【００２４】
図５に示すように、試験具１０は、検体中の所定成分の量を測定する体液成分測定装置１００の試験具装着部１０１に装着して使用されるものである。試験具１０は、試験具本体２０と、該試験具本体２０の先端側の面（図５中上面）に突出形成された細管３０と、試験具本体２０の基端側の面（図５中下面）に立設された複数（図示の構成では４つ）の爪４０と、試験具本体２０の下面側に設置された試験紙５０とで構成されている。
【００２５】
試験具本体２０は、その全体形状（外形形状）が円盤状をなしている。なお、試験具本体２０の平面視での形状は、円形に限らず、例えば、四角形、六角形、八角形等の多角形や、その他の任意の形状であってもよい。試験具本体２０の基端面（下面）２３０には、試験紙５０を支持、固定するための支持部２１０が形成されている。試験紙５０は、その外周部において、例えば融着または接着剤による接着等の方法により支持部２１０に固定される。
【００２６】
体液成分測定装置１００の試験具装着部１０１に試験具１０を装着した状態（以下「装着状態」と言う）では、基端面２３０が試験具装着部１０１の先端に当接し、試験具１０の図５中上下方向（試験紙５０の法線方向）の位置決めを行う。
【００２７】
細管３０は、血液等のような体液（検体）を採取するためのものであり、その内部には、検体導入流路３１０が形成されている。この検体導入流路３１０は、試験紙５０に対しほぼ直交する方向に延在しており、その先端には検体流入口３２０、その基端には検体流出口３２１がそれぞれ形成されている。血液は、毛細管現象により検体導入流路３１０を通って試験紙５０へ供給される。
【００２８】
また、細管３０の先端面には、検体導入流路３１０に連通する溝３４０が形成されている。図示の例では、溝３４０は、細管３０の径方向に延在する直線状の溝である。この溝３４０の各端部は、それぞれ細管３０の外周面に開放している。この溝３４０を設けたことにより、血液を採取するにあたり細管３０の先端面を指等の表面に接触させた際、検体導入流路３１０（検体流入口３２０）が塞がれず、溝３４０の端部が開放していることで、血液の流入が確保されるので、血液の試験紙５０への供給を円滑かつ確実に行うことができる。なお、溝３４０の形状、本数、配置等は、図示のものに限定されず、例えば、溝３４０を十文字状にしてもよい。
【００２９】
試験具本体２０の基端面２３０側には、４本の爪４０（位置決め部材）が等角度間隔で立設されている。なお、爪４０の形成数は、４つに限定されず、例えば、２つ、３つまたは５つ以上であってもよい。
【００３０】
各爪４０の外面には、その基端部に突部４２０が突出形成されている。装着状態では、各爪４０は、試験具装着部１０１に形成されたリング状の凹部１０２に挿入されるが、このとき、各爪４０の突部４２０は、縮径部１０３を乗り越えて係合する。これにより、試験具１０は、試験具装着部１０１に対し、試験紙５０の面方向の位置決めがなされる。
【００３１】
試験具１０は、試験具本体２０と細管３０と４つの爪４０とが一体的に形成されたものであり、好ましくは樹脂材料で構成されている。特に、検体を迅速に導入、展開するのに適したものとして、アクリル系樹脂等の親水性の高い材料または親水化処理されたものが好ましい。
【００３２】
試験紙５０は、検体（血液）を吸収し得る担体に、試薬（発色試薬）を担持（含浸）させたものである。この担体は、好ましくは多孔質シートで構成されている。
【００３３】
試験紙５０に担持される試薬としては、血糖値測定用の場合、グルコースオキシターゼ（ＧＯＤ）と、ペルオキシターゼ（ＰＯＤ）と、例えば４−アミノアンチピリン、Ｎ−エチル−Ｎ−（２−ヒドロキシ−３−スルホプロピル）−ｍ−トルイジンのような発色剤とが挙げられ、その他、測定成分に応じて、例えばアスコルビン酸オキシダーゼ、アルコールオキシダーゼ、コレステロールオキシダーゼ等の血液成分と反応するものと、前記と同様の発色剤とが挙げられる。また、緩衝剤や安定化剤等を適宜選択して用い得る。なお、試薬の種類、成分については、これらに限定されないことは言うまでもない。
【００３４】
以上述べた試験具１０は、未使用の状態では、収納容器２に収納され（以下、この状態を「収納状態」と言う）、試験具個包装体１となっている。試験具１０を体液成分測定装置１００の試験具装着部１０１に装着する際は、試験具個包装体１の収納容器２からシート材７０を剥離する。そして、収納状態の試験具１０は、収納容器２ごと指で把持、すなわち、収納容器２の後述する把持部３３が指で把持され、その基端側から体液成分測定装置１００の試験具装着部１０１に押し付けることで試験具１０が装着される。この装着の際は、収納容器２の後述する収納部３４が、試験具装着部１０１の先端部を覆う。装着が完了した後、収納容器２のみを引き離して離脱させ、試験具１０が装着された体液成分測定装置１００が測定に供される。ここで、体液成分測定装置１００について簡単に説明する。
【００３５】
体液成分測定装置１００は、試験具１０が着脱自在に装着される試験具装着部１０１を有している。試験具装着部１０１は、筒状をなしており、先端に開放するリング状の凹部１０２が形成されている。また、凹部１０２の外周側の内壁は、中心方向に向かって山型状に突出した部分（縮径部１０３）を有する。
【００３６】
また、試験具装着部１０１の筒内部には、発光素子（発光ダイオード）と、受光素子（フォトダイオード）とを有する測光部（図示せず）が設けられている。発光素子は、例えば所定の時間間隔でパルス光を発する。
【００３７】
また、体液成分測定装置１００は、マイクロコンピュータで構成される制御手段（図示せず）を有している。この制御手段には、測光部からの信号に基づいて目的とする血中成分の濃度（例えば血糖値）を算出する演算部が内蔵されている。
【００３８】
装着状態の体液成分測定装置１００では、試験具１０の試験紙５０に検体が供給され展開し、次いで、測定が行われる。発光素子から発せられた光は、試験具１０の試験紙５０に照射され、その反射光が受光素子で検出される。この反射光の強度は、試験紙５０の呈色強度、すなわち検体中の目的成分の量に対応している。この反射光は、受光素子で光電変換され、その受光光量に応じたアナログ信号がデジタル信号に変換された後制御手段に入力され、所望の演算処理、補正処理等がなされ、検体中の目的成分量が算出される。
【００３９】
そして、測定終了後は、試験具装着部１０１に内蔵されているピン１０４を先端方向へスライドさせ、ピン１０４の先端で試験具１０の試験具本体２０（基端面２３０）を押圧し、試験具１０を試験具装着部１０１から取り外す。取り外された使用済みの試験具１０は、廃棄処分に供される。このとき、試験具１０は、収納されていた収納容器２が予め被せられ、その収納容器２ごと取り外して廃棄される。これにより、周囲への汚染をより確実に防止することができる。
【００４０】
各図に示すように、試験具１０および乾燥剤６０を収納する収納容器２は、ケーシング３と、ケーシング３に設けられた各部とを有している。収納容器２は、これらの部位が一体的に形成されたものであり、その構成材料としては、特に限定されず、例えば、樹脂材料を適宜選択して用いることができる。
【００４１】
ケーシング３は、基端側に開口部３８、先端側に底部である先端壁部３９を有している。すなわち、ケーシング３は、先端側が閉塞し、基端側が開口した有底筒状をなす部材で構成されている。このケーシング３の内腔部３２に、試験具１０および乾燥剤６０が収納される。なお、内腔部３２の形状は、図示の構成では、ケーシング３の外形形状に対応した形状をなしているが、これに限定されないことは、言うまでもない。
【００４２】
ケーシング３は、試験具１０の大部分を収納する収納部３４（第１部分）と、把持部３３（第２部分）とを有している。収納部３４は、基端側に位置し、把持部３３は、収納部の先端側に位置し、ている。
【００４３】
把持部３３は、指で把持する部位である。この把持部３３の内腔部３２には、乾燥剤６０が収納されている。この乾燥剤６０は、先端壁部３９の内側面に当接して固定されており、ケーシング３の中心軸Ｏ方向の位置決めがなされている。このように把持部３３は、乾燥剤６０を収納する乾燥剤収納部として機能している。なお、把持部３３の内腔部３２には、試験具１０の細管３０も収納されている。
収納部３４の内腔部３２には、試験具１０の細管３０を除く部位が収納されている。
【００４４】
また、試験具１０は、収納部３４の内周面に設けられた複数のリブ（保持部）３４１によって保持されている。各リブ３４１は、中心軸Ｏと平行となるように形成され、試験具１０の試験具本体２０の外周部と嵌合するよう構成されている。これにより、試験具１０を確実に保持することができる。また、これらのリブ３４１の試験具１０に対する保持力は、体液成分測定装置１００の試験具装着部１０１の縮径部１０３と試験具１０の全爪４０との係合力（試験具装着部１０１による試験具１０の保持力）よりも小さく設定されている。これにより、図５に示すように、収納容器２を把持して収納状態の試験具１０を体液成分測定装置１００に装着して、その後収納容器２を先端方向に向かって引張りさえすれば、収納容器２が試験具１０から確実に離脱する。
【００４５】
また、把持部３３は、その外側部が収納部３４の外側部に対して内側、すなわち、中心軸Ｏ側に凹んだ１対の凹部３３１、３３２を有している。すなわち、把持部３３の外形形状は、円柱の一部を欠損させたような形状、例えば、円柱からその一部を扇形や弓形に欠損させたような形状をなしている。なお、本実施形態では、１対の凹部３３１、３３２は、中心軸Ｏを介して対向するように配置されている。また、１対の凹部３３１、３３２は、互いに、同一の形状をなし、同一の寸法を有している。
【００４６】
このように、ケーシング３には、凹部３３１、３３２により、それぞれ、その側壁の中心軸Ｏ方向の途中に段差部３１が形成されている。
【００４７】
ここで、把持部３３の形状は、その外側部が収納部３４の外側部に対して内側に凹んだ部分を有する形状であれば特に限定されないが、本実施形態では、把持部３３の中心軸Ｏに対して垂直な断面での外形形状は、略四角形をなしている。この場合、図示の構成では、前記四角形の一の対向する１対の辺は、直線状をなし、他の対向する１対の辺は、曲率が比較的小さい円弧状をなしている。すなわち、把持部３３の４つの外側面３３３、３３４、３３５および３３６は、それぞれ、平坦な形状をなしている。ここで、「平坦」とは、中心軸Ｏから外側面までの最大距離を半径とする円の曲率よりも小さい曲率のものを言う。図示の構成では、把持部３３の４つの外側面３３３〜３３６のうち、把持部３３の１対の凹部３３１、３３２の表面、すなわち、一の対向する１対の外側面３３３、３３５は、それぞれ、平面であり、他の対向する１対の外側面３３４、３３６は、それぞれ、曲率が比較的小さい湾曲面である。
【００４８】
このような把持部３３の構成により、把持部３３を把持して、収納容器２内の試験具１０を体液成分測定装置１００の試験具装着部１０１に装着する際、その把持部３３を把持し易く、また、収納容器２を試験具装着部１０１側に押し込み易いという利点を有する。
【００４９】
また、収納部３４の形状は、特に限定されないが、本実施形態では、収納部３４の中心軸Ｏに対して垂直な断面での形状は、その大部分が円形をなしている。
【００５０】
すなわち、収納部３４の４つの外側面３４３、３４４、３４５および３４６のうち、把持部３３の外側面３３３に対応する外側面３４３と、把持部３３の外側面３３５に対応する外側面３４５とは、それぞれ、湾曲形状をなしており、また、把持部３３の外側面３３４に対応する外側面３４４と、把持部３３の外側面３３６に対応する外側面３４６とは、それぞれ、ほぼ平坦な形状をなしている。図示の構成では、収納部３４の４つの外側面３４３〜３４６のうち、一方の対向する１対の外側面３４３、３４５は、それぞれ、曲率が比較的大きい湾曲面であり、他方の対向する１対の外側面３４４、３４６は、それぞれ、曲率が比較的小さい湾曲面である。なお、外側面３４４、３４６は、それぞれ、把持部３３の外側面３３４、３３６に対し、段差のない連続面を形成している。
【００５１】
また、収納部３４の基端部には、直線状をなす第１の当接部として、その収納部３４の外側部から外側に向って突出し、直線状をなすリブ（凸部）３７が設けられている。このリブ３７は、外側面３４３、３４５側にそれぞれ設けられている。また、リブ３７の長手方向の各端部３７１は、それぞれ、第１の係止部として機能する。
【００５２】
一方、把持部３３の先端部には、直線状をなす第２の当接部として、その把持部３３の外側部に、前記リブ３７に対応する形状の溝部（凹部）３６が設けられている。この溝部３６は、外側面３３３、３３５側にそれぞれ設けられている。また、溝部３６の長手方向の各端部３６１は、それぞれ、第２の係止部として機能する。
【００５３】
また、収納部３４の基端部において、リブ３７から中心軸Ｏを中心に９０°ずれた部位の１対の外側面３４７、３４８は、それぞれ、特に、直線状をなすか、または、中心軸Ｏから外側面３４７、３４８までの最大距離を半径とする円の曲率よりも小さい曲率を有することが好ましい。図示の構成では、外側面３４７、３４８は、それぞれ、直線状をなしている。なお、外側面３４７、３４８は、前記曲率がマイナスとなる凹状にくぼんだ形状であってもよい。
【００５４】
一方、把持部３３の先端部において、溝部３６から中心軸Ｏを中心に９０°ずれた部位の１対の外側面３３７、３３８は、それぞれ、特に、直線状をなすか、または、中心軸Ｏから外側面３３７、３３８までの最大距離を半径とする円の曲率よりも小さい曲率を有することが好ましい。図示の構成では、外側面３３７、３３８は、それぞれ、曲線状をなしている。
【００５５】
また、把持部３３および収納部３４の外側部、すなわち、ケーシング３の外側部の４隅には、それぞれ、中心軸Ｏ方向に沿って延在するリブ３５が設けられている。各リブ３５は、滑り止め手段として機能する。これにより、把持部３３を把持して、収納容器２内の試験具１０を体液成分測定装置１００の試験具装着部１０１に装着する際、その把持部３３を把持し易いという利点を有する。
【００５６】
また、図５に示すように、把持部３３の長さをＬ１、収納部３４の長さをＬ２としたとき、その把持部３３の長さＬ１および収納部３４の長Ｌ２は、それぞれ、Ｌ１≧Ｌ２の関係を満たすように設定される。
【００５７】
Ｌ１＜Ｌ２であると、後述するように複数の試験具個包装体１を交互に上下逆向きに並べたとき、隣り合う２つの試験具個包装体１の一方の段差部３１と他方の段差部３１とが互いに接触し、一方の試験具個包装体１の先端の溝部３６と他方の試験具個包装体１の基端のリブ３７とを当接させることができない。
【００５８】
この試験具個包装体１は、複数個を並べて、例えば、所定の箱内に入れられ、保管等が行われる。この場合、例えば、試験具個包装体１を１列に並べてもよく、また、複数列、すなわち、行列状に並べてもよい。
【００５９】
以下では、代表的に、同一形状の複数の試験具個包装体１を行列状に並べる場合について説明する。
【００６０】
図４に示すように、ｘ軸方向には、複数の試験具個包装体１を、隣り合う２つの試験具個包装体１の基端方向が互いに反対になり、その隣り合う２つの試験具個包装体１のうちの一方の試験具個包装体１の把持部３３と、他方の試験具個包装体１の収納部３４とが隣接するように並べる。
【００６１】
また、同様に、ｙ軸方向には、複数の試験具個包装体１を、隣り合う２つの試験具個包装体１の基端方向が互いに反対になり、その隣り合う２つの試験具個包装体１のうちの一方の試験具個包装体１の把持部３３と、他方の試験具個包装体１の収納部３４とが隣接するように並べる。
【００６２】
なお、試験具個包装体１をｙ軸方向に並べる場合の隣り合う２つの試験具個包装体１の姿勢は、試験具個包装体１をｘ軸方向に並べた場合の配列状態のときの隣り合う２つの試験具個包装体１の一方の試験具個包装体１を中心軸Ｏを中心に９０°回転させ、他方の試験具個包装体１を中心軸Ｏを中心に９０°回転させたものと同じである。
【００６３】
ここで、各隣り合う２つの試験具個包装体１同士の関係は、同じであるので、以下では、代表的に、１組の隣り合う２つの試験具個包装体１について説明する。
【００６４】
前述したように、試験具個包装体１の把持部３３には凹部３３１、３３２が設けられているので、ｘ軸方向の並びにおいては、隣り合う２つの試験具個包装体１の一方の試験具個包装体１の把持部３３の凹部３３１に、他方の試験具個包装体１の収納部３４の外側部が組み合わされ、他方の試験具個包装体１の把持部３３の凹部３３２に、一方の試験具個包装体１の収納部３４の外側部が組み合わされるよう構成されている。
【００６５】
これにより、試験具個包装体１の集合状態の体積を小さくすることができる。なお、収納容器の全体形状が有底円筒状の場合に対して、試験具個包装体１の集合状態の体積を２０〜３０％程度減少させることができる。これにより、複数の試験具個包装体１を交互に上下逆に並べて箱に入れた場合、その箱を小さくすることができる。これによって、複数の試験具個包装体１を箱ごと携帯する場合に、かさばらずに、便利である。
【００６６】
また、ｘ軸方向の並びにおいては、隣り合う２つの試験具個包装体１の一方の試験具個包装体１のリブ３７が、他方の試験具個包装体１の溝部３６に挿入され、その溝部３６に当接するとともに、他方の試験具個包装体１のリブ３７が、一方の試験具個包装体１の溝部３６に挿入され、その溝部３６に当接する。これにより、一方の試験具個包装体１に対する他方の試験具個包装体１の姿勢が規制される。すなわち、中心軸Ｏを中心とする試験具個包装体１の回動が阻止される。また、一方の試験具個包装体１のリブ３７が、他方の試験具個包装体１の溝部３６に係止され、他方の試験具個包装体１のリブ３７が、一方の試験具個包装体１の溝部３６に係止され、これにより、一方の試験具個包装体１に対する他方の試験具個包装体１のｚ軸方向の移動が制限される。
【００６７】
なお、図示の構成では、把持部３３の長さＬ１と収納部３４の長Ｌ２との関係は、Ｌ１≧Ｌ２であるので、一方の試験具個包装体１の段差部３１と、他方の試験具個包装体１の段差部３１とが干渉せず、前記のように、リブ３７と溝部３６とで、前記ｚ軸方向の位置決めを行うようになっている。
【００６８】
また、ｘ軸方向の並びにおいては、隣り合う２つの試験具個包装体１の一方の試験具個包装体１のリブ３７の各端部３７１が、他方の試験具個包装体１の溝部３６の各端部３６１に係止されるとともに、他方の試験具個包装体１のリブ３７の各端部３７１が、一方の試験具個包装体１の溝部３６の各端部３６１に係止される。これにより、一方の試験具個包装体１に対する他方の試験具個包装体１のｙ軸方向の移動が阻止される。
【００６９】
また、ｙ軸方向の並びにおいては、隣り合う２つの試験具個包装体１の一方の試験具個包装体１の収納部３４の基端部の外側面３４７が、他方の試験具個包装体１の把持部３３の先端部の外側面３３８に当接し、他方の試験具個包装体１の収納部３４の基端部の外側面３４８が、一方の試験具個包装体１の把持部３３の先端部の外側面３３７に当接する。これにより、一方の試験具個包装体１に対する他方の試験具個包装体１の姿勢が安定する。
【００７０】
以上のように、この試験具個包装体１では、複数の試験具個包装体１を交互に上下逆向きに行列状に整列させることにより、その配列が崩れ難くなり、集合体での省スペースの状態を維持しやすくなる。
【００７１】
また、図５に示すように、収納容器２の先端側の部分には、ブロック状（円柱状）の乾燥剤６０が収納されている。この乾燥剤６０は、試験紙５０の乾燥状態を保持する機能を有するものである。この乾燥剤６０としては、各種のものが使用可能であるが、例えば、シリカ、アルミナ、モレキュラーシーブスのような合成ゼオライト、モルデナイト、エリオナイトのような天然ゼオライト、塩化カルシウム、塩化マグネシウムのようなアルカリ土類金属の塩化物、パーライト、活性白土のような粘土鉱物からなる群より選択される少なくとも１種を用いるのが好ましい。これにより、試験紙５０に含まれる試薬の変質や劣化を好適に防止して、精度の高い血糖測定を行うことができる。また、これらのものは、乾燥剤６０としてブロック状に容易に形成することができ、入手も容易である。
【００７２】
また、図５に示すように、乾燥剤６０は、試験具１０よりも先端側、すなわち、試験具１０よりも開口部３８に対して遠位に配置されている。このため、使用者は、直接乾燥剤６０に手を触れることなく、試験具１０の装着作業を行なうことができる。
【００７３】
図１に示すように、未使用状態の試験具個包装体１では、可撓性を有するシート材７０によって、収納容器２の開口部３８が気密的に封止されている。これにより、例えば、未使用状態の試験具個包装体１の内部の乾燥状態を確実に維持することができる。そして、試験具個包装体１内の試験具１０を体液成分測定装置１００に装着して使用するときには、シート材７０は収納容器２から剥離される。
【００７４】
なお、シート材７０は、接着や融着により、収納容器２の開口部３８に固定されているのが好ましい。
【００７５】
また、シート材７０は、剥離操作を行なう際に指先で摘まれるタブ７１０を有している。これにより、剥離操作を容易に行なうことができる。
【００７６】
また、シート材７０の構成材料としては、特に限定されず、例えば、アルミラミネートフィルム等の防湿効果を有するものを用いることができる。
【００７７】
以上説明したように、この試験具個包装体１によれば、複数の試験具個包装体１を並べた際、その試験具個包装体１の集合状態の体積を小さくすることができる。
【００７８】
これにより、複数の試験具個包装体１を並べて箱に入れた場合、その箱を小さくすることができる。これによって、複数の試験具個包装体１を箱ごと携帯する場合に、便利である。
【００７９】
また、複数の試験具個包装体１を所定形状に並べた際、その形が崩れ難く、省スペース状態を維持しやすい。
【００８０】
＜第２実施形態＞
図６は、本発明の試験具個包装体の第２実施形態を示す斜視図、図７は、図６に示す試験具個包装体を並べた状態を示す斜視図である。なお、以下では、図６および図７中の上側を「基端」、下側を「先端」として説明を行う。
【００８１】
以下、第２実施形態について、前述した第１実施形態との相違点を中心に説明し、同様の事項については、その説明を省略する。
【００８２】
図６に示すように、第２実施形態の試験具個包装体１では、把持部３３は、その外側部全体が収納部３４の外側部に対して内側、すなわち、ケーシング３の中心軸Ｏ側に凹んだ形状をなしている。すなわち、把持部３３は、前記１対の凹部（第１の凹部）３３１、３３２の他に、さらに、中心軸Ｏを介して対向するように配置され、収納部３４に対して内側に凹んだ１対の凹部（第２の凹部）３３９、３３０を有している。
【００８３】
１対の凹部３３９、３３０は、それぞれ、凹部３３１、３３２に対して、中心軸Ｏを中心に９０°ずれた位置に設けられている。また、各凹部３３１、３３２、３３９および３３０は、すべて、同一の形状をなし、同一の寸法を有している。
【００８４】
また、各外側面３３３〜３３６は、それぞれ、平面である。
また、把持部３３の各外側面３３３、３３５の先端部が、それぞれ、ｘ軸方向の並びにおける第２の当接部として機能し、把持部３３の各外側面３３４、３３６の先端部が、それぞれ、ｙ軸方向の並びにおける第２の当接部として機能する。
【００８５】
また、各リブ３５の先端部が、それぞれ、ｘ軸方向の並びにおける第２の係止部およびｙ軸方向の並びにおける第２の係止部として機能する。
【００８６】
なお、本実施形態でも、把持部３３の各外側面３３３〜３３６の先端部に、それぞれ、第１実施形態の溝部３６に相当する図示しない溝部を設けてもよい。
【００８７】
また、収納部３４の中心軸Ｏに対して垂直な断面での形状は、円形をなしている。
また、収納部３４の基端部には、４つのリブ３７が、等角度間隔で設けられている。
【００８８】
この４つのリブ３７のうちの一方の対向する１対のリブ３７の長手方向の各端部３７１が、それぞれ、第１の係止部として機能し、他方の対向する１対のリブ３７の長手方向の各端部３７１が、それぞれ、第２の係止部として機能する。
【００８９】
この試験具個包装体１では、図７に示すように、ｘ軸方向の並びにおいては、隣り合う２つの試験具個包装体１の一方の試験具個包装体１の把持部３３の凹部３３１に、他方の試験具個包装体１の収納部３４の外側部が組み合わされ、他方の試験具個包装体１の把持部３３の凹部３３２に、一方の試験具個包装体１の収納部３４の外側部が組み合わされるよう構成されている。
【００９０】
また、ｙ軸方向の並びにおいては、隣り合う２つの試験具個包装体１の一方の試験具個包装体１の把持部３３の凹部３３９に、他方の試験具個包装体１の収納部３４の外側部が組み合わされ、他方の試験具個包装体１の把持部３３の凹部３３０に、一方の試験具個包装体１の収納部３４の外側部が組み合わされるよう構成されている。
【００９１】
これにより、複数の試験具個包装体１全体の体積を第１実施形態よりもさらに小さくすることができる。
【００９２】
また、ｘ軸方向の並びにおいては、隣り合う２つの試験具個包装体１の一方の試験具個包装体１のリブ３７が、他方の試験具個包装体１の外側面３３３の先端部に当接するとともに、他方の試験具個包装体１のリブ３７が、一方の試験具個包装体１の外側面３３５の先端部に当接する。これにより、一方の試験具個包装体１に対する他方の試験具個包装体１の姿勢が規制される。すなわち、中心軸Ｏを中心とする試験具個包装体１の回動が阻止される。なお、ｙ軸方向の並びにおいても同様である。
【００９３】
また、ｘ軸方向の並びにおいては、隣り合う２つの試験具個包装体１の一方の試験具個包装体１のリブ３７の各端部３７１が、他方の試験具個包装体１の対応するリブ３５に係止されるとともに、他方の試験具個包装体１のリブ３７の各端部３７１が、一方の試験具個包装体１の対応するリブ３５に係止される。これにより、一方の試験具個包装体１に対する他方の試験具個包装体１のｙ軸方向の移動が阻止される。なお、ｙ軸方向の並びにおいても同様であり、一方の試験具個包装体１に対する他方の試験具個包装体１のｘ軸方向の移動が阻止される。
【００９４】
以上、本発明の収納容器および試験具個包装体を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００９５】
また、本発明は、前記各実施形態のうちの、任意の２以上の構成（特徴）を組み合わせたものであってもよい。
また、本発明では、把持部の凹部の数は、複数に限らず、１つであってもよい。
【符号の説明】
【００９６】
１            試験具個包装体
２            収納容器
３            ケーシング
３１          段差部
３２          内腔部
３３          把持部
３３０、３３１、３３２、３３９  凹部
３３３〜３３８  外側面
３４          収納部
３４１        リブ
３４３〜３４８  外側面
３５          リブ
３６          溝部
３６１        端部
３７          リブ
３７１        端部
３８          開口部
３９          先端壁部
１０          試験具
２０          試験具本体
２１０        支持部
２３０        基端面
３０          細管
３１０        検体導入流路
３２０        検体流入口
３２１        検体流出口
３４０        溝
４０          爪
４２０        突部
５０          試験紙
６０          乾燥剤
７０          シート材
７１０        タブ
１００        体液成分測定装置
１０１        試験具装着部
１０２        凹部
１０３        縮径部
１０４        ピン
【図１】
2012058036.tif 000003
【図２】
2012058036.tif 000004
【図３】
2012058036.tif 000005
【図４】
2012058036.tif 000006
【図５】
2012058036.tif 000007
【図６】
2012058036.tif 000008
【図７】
2012058036.tif 000009